(57)【要約】【課題】カバーケースの自力開きカバー用バネを自動機で組み立てられるようにする為、簡単な作業で組み立てが可能で、量産性の高い係止部を設けることが本発明の課題である。【解決手段】ケース一端に、カバーの爪を係止させる押しボタン（４）を設け、ケース他端には、カバーを回動可能にするヒンジ（３）を結合し、ヒンジ部に並設し、カバーの回動を可能にするねじりコイルバネ（５）を設けると共に、ねじりコイルバネ端部の固定部が、左右のヒンジを結ぶ直線とは垂直方向にねじりコイルバネの腕を挿入する挿入溝（５５）を設け、挿入溝の奥にねじりコイルバネの設定位置まで溝でつなげ、挿入と反対向きに係止させる凹部を設けると共に、挿入溝の入り口に傾斜面（５４）を設けたことを特徴とした事を特徴としたバネ付カバーケース。【選択図】図１
2014133567.tif 000002
【特許請求の範囲】
【請求項１】
上部に開口部のあるケース本体と、開口部上面で上下し、開閉するカバーとで構成されるカバーケースにおいて、
ケース本体は、一端に、開口部をカバーで閉鎖し、閉鎖を保持する為に設けたカバーの爪に係合する係合部を有する押しボタンが設けられており、
ケース本体の他端には、回動可能にするヒンジによってカバーが結合しており、
回動するカバーのヒンジ部に並設して、ねじりコイルバネが設けられると共に、
ケース本体及びカバーのそれぞれにおいて、ねじりコイルバネ取付面にあって、左右のヒンジを結ぶ直線とは垂直方向にねじりコイルバネの腕を挿入する挿入溝を設け、
挿入溝の奥からねじりコイルバネの腕を固定する位置まで、ねじりコイルバネの線径を有する幅の溝をつなげ、
ねじりコイルバネの腕を固定する位置で腕を嵌合させる凹部を設けると共に、
挿入溝の入り口に勾配を設けていることを特徴としたバネ付カバーケース。
【請求項２】
ヒンジが、成形ヒンジで構成されることを特徴とした請求項１に記載のバネ付カバーケース。
【請求項３】
カバーが本体に対し１８０度開いた状態でねじりコイルバネを挿入後、カバーのヒンジ側端部がカバー本体との圧接部を乗り越えて閉めた後、再度ねじりコイルバネによって開いた時、圧接部に当接し、カバーとケース本体が規定の開き角度を保つことを特徴とした請求項１又は２に記載のバネ付カバーケース。
【請求項４】
カバーが本体に対し１８０度開いた状態でねじりコイルバネを挿入後、ヒンジ近傍の左右に設けた突起と切り欠き部が係合し、カバーを閉めた後再度開いた時、カバーとケース本体が規定の開き角度を保つことを特徴とした請求項１又は２に記載のバネ付カバーケース。
【発明の詳細な説明】
【技術分野】
【０００１】
本発明は、主としてウエットティッシュなどを収納する箱型のカバーとケースにより構成されるカバーケースに関し、さらに詳しくは、ワンタッチで容易に自力で開くためのバネを有するカバーケースに関する。
【背景技術】
【０００２】
ウエットティッシュのように、開放状態でいると乾燥したりして、その内容物の性能が発揮できなくなるような内容物に対し、密封して外部に飛散する水分やアルコールなどの揮発を防止できるよう、密閉蓋を設け、使用する毎に容器の蓋を開閉し、内容物を取り出す容器が必要になる。その場合、閉める時にロックする機構も必要であるが、開く時にロックを外せば、自力で開いてくるカバーが便利であり、その為に、カバーとケースとをつなぐヒンジ近傍にねじりコイルバネを挿入し、その力でカバーが開くようにすることが一般的である。
従来、それには、ねじりコイルバネの両端を曲げ、それをケースとカバーそれぞれに係合部を設け、ねじりコイルバネの曲げた一端をカバーの係合部へ、他端をケースの係合部へ、差し込んでセットする方法が採られていた。
しかしながら、これらの係合部は、容易に抜けないようにする必要があった。この為、非常に狭い隙間に無理に嵌合する形で挿入する構成になっており、このような場合、人手でしか挿入できず、しかも挿入に際しては大きな力が必要であり、多量の製品を作るには、作業者が多く必要であり、製品のコスト低減も、難しい問題を持っていた。
【０００３】
文献１では、蓋体とベース部との間に配置される金属製のトーションスプリングと、
このトーションスプリングを取り付けたときに、トーションスプリングが外部に露出しないようにするカバー部材とを備えていて、
前記カバー部材は、前記トーションスプリングを収容して前記蓋体または前記ベース部に対して着脱され、
かつ、カバー部材は、前記トーションスプリングを収容するための凹部と着脱に際して用いられる案内手段とを備えており、
前記蓋体または前記ベース部には、前記案内手段に対応した案内部が設けられていて、
前記案内手段と案内部のうち一方は、案内溝であり、他方はこの案内溝に入り込む案内突起であって、この案内突起を案内溝内に差し込んでベース部材を装着することにより、
前記蓋体とベース部とをつなぐヒンジの回転中心と、前記トーションスプリングの中心とがほぼ一致するように構成されている蓋構造を提案している。
すなわち、この文献では、トーションスプリングは、カバー部材という専用部材を使用し、それに合わせて、蓋体やベース部に案内手段を設けている。
そのため、部品数が増加し、かつ、組み立て工数が増加し、コストが高くなる問題が発生する。
【０００４】
文献２では、上蓋の裏面及び容器本体の背面側凹部にはばね取付部がそれぞれ設けられ、それらばね取付部同士の間には、前記上蓋を開く方向に付勢する折り畳み可能な上蓋付勢手段がその折り返し部を前記ばね取付部よりも容器の前方に突き出すようにして配置されていることを特徴とする蓋付き容器を提案している。
ここで使用されるばねは、板ばねで、好適には天然又は合成ゴムにて構成されているが、ばね鋼等を利用して板ばねを形成するなど、材質については限定していない。
しかし、板ばねを使用し、かつ、９０度を越えた開閉が必要なので、降伏応力の限界に近いので、何回も開閉を繰り返すと、次第に開ききらなくなったりする問題が生じ、ひどい時には、閉めた状態で、ばねが破断する場合も発生する問題があった。
【先行技術文献】
【特許文献】
【０００５】
【特許文献１】特許第３８７１７４０号公報
【特許文献２】特許第４３３８３４２号公報
【発明の概要】
【発明が解決しようとする課題】
【０００６】
カバーケースにおける開閉機構としてのねじりコイルバネを、小さな力で、しかも簡単な作業で安全に組み立て（セット）が可能で、さらには量産性が高く、ロボットや治具等により自動的にセットも可能な係止部を設けることが本発明の課題である。
【課題を解決するための手段】
【０００７】
本発明の請求項１に係るバネ付カバーケースは、
上部に開口部のあるケース本体と、開口部上面で上下し、開閉するカバーとで構成されるカバーケースにおいて、
ケース本体は、一端に、開口部をカバーで閉鎖し、閉鎖を保持する為に設けたカバーの爪に係合する係合部を有する押しボタンが設けられており、
ケース本体の他端には、回動可能にするヒンジによってカバーが結合しており、
回動するカバーのヒンジ部に並設して、ねじりコイルバネが設けられると共に、
ケース本体及びカバーのそれぞれにおいて、ねじりコイルバネ取付面にあって、左右のヒンジを結ぶ直線とは垂直方向にねじりコイルバネの腕を挿入する挿入溝を設け、
挿入溝の奥からねじりコイルバネの腕を固定する位置まで、ねじりコイルバネの線径を有する幅の溝をつなげ、
ねじりコイルバネの腕を固定する位置で腕を嵌合させる凹部を設けると共に、
挿入溝の入り口に勾配を設けていることを特徴としたバネ付カバーケースである。
【０００８】
そして、本発明の請求項２に係るバネ付カバーケースは、ヒンジが、成形ヒンジで構成されることを特徴としたバネ付カバーケースである。
【０００９】
そして、本発明の請求項３に係るバネ付カバーケースは、カバーが本体に対し１８０度開いた状態でねじりコイルバネを挿入後、カバーのヒンジ側端部がカバー本体との圧接部を乗り越えて閉めた後、再度ねじりコイルバネによって開いた時、圧接部に当接し、カバーとケース本体が規定の開き角度を保つことを特徴とした請求項１又は２に記載のバネ付カバーケースである。
【００１０】
また、本発明の請求項４に係るバネ付カバーケースは、カバーが本体に対し１８０度開いた状態でトーションバネを挿入後、ヒンジ近傍の左右に設けた突起と切り欠き部が係合し、カバーを閉めた後再度開いた時、カバーと本体が規定の開き角度を保つことを特徴としたバネ付カバーケースである。
【発明の効果】
【００１１】
本発明のカバーケースは、簡単な作業で、軽い力だけで、バネを挿入し、組み立てが可能なので、自動組み立てが可能であり、人手でも安全かつ量産性が高く、失敗や不良の発生および怪我をする恐れも少ない。しかも、ねじりコイルバネを使用しているので、耐久性も高いので、内容物を取り替えて、何回でも開閉しても開く力の変化がほとんどなく、開く強さも自由に設計することができる。
【図面の簡単な説明】
【００１２】
【図１】本発明であるバネ付カバーケースの一例で蓋を開けた状態の容器を示す斜視図である。
【図２】本発明であるバネ付カバーケースの一例で、図１のねじりコイルバネ部分を拡大した斜視図である。
【図３】本発明であるバネ付カバーケースの一例で、図２のねじりコイルバネ部分を取り付ける係止部分の形状とねじりコイルバネの係止工程を説明する図で、２つの例を記載したものである。
【図４】本発明であるバネ付カバーケースの一例で、蓋を閉めた状態の容器を示す斜視図である。
【図５】本発明であるバネ付カバーケースで、樹脂ヒンジを使用したタイプで、カバーを閉めた状態を示す断面図である。
【図６】本発明であるバネ付カバーケースで、樹脂ヒンジを使用したタイプで、カバーを１８０度開き、ねじりコイルバネを取り付けている状態を示す断面図である。
【図７】本発明であるバネ付カバーケースで、樹脂ヒンジを使用したタイプで、カバーがケース本体の側面突起に当接し、一定の角度で開いた状態を示す断面図である。
【図８】本発明であるバネ付カバーケースで、ヒンジ中心とねじりコイルバネの巻き中心がほぼ同じ位置に設けたタイプで、カバーを閉めた状態を示す断面図である。
【図９】本発明であるバネ付カバーケースで、ヒンジ中心とねじりコイルバネの巻き中心がほぼ同じ位置に設けたタイプで、カバーを開けた状態を示す断面図と、そのねじりコイルバネ近傍の拡大図である。
【図１０】本発明であるバネ付カバーケースで、樹脂ヒンジを使用したタイプで、ねじりコイルバネを取り付けた後、カバーのヒンジ側端部がカバー本体との圧接部を乗り越えて一度閉め、再度ねじりコイルバネの力で開いた状態を示す断面図である。
【図１１】本発明であるバネ付カバーケースで、樹脂ヒンジを使用し、ヒンジ近傍の左右に設けた突起と側面の切り欠き部が係合するタイプにおいて、その係合するヒンジ近傍の左右に設けた突起と側面の切り欠き部を示す斜視図である。
【図１２】本発明であるバネ付カバーケースで、ヒンジ中心とねじりコイルバネの巻き中心がほぼ同じ位置に設けたタイプのカバーの斜視図である。
【図１３】本発明であるバネ付カバーケースの押しボタンの斜視図である。
【発明を実施するための形態】
【００１３】
以下、本発明のバネ付カバーケースにおける実施の形態例について、図を用いて詳細に説明する。
図１は本発明のバネ付カバーケースの一例でカバーを開けた状態の容器を示す斜視図である。
ケース本体１には、上面に一段下がったカバーを収める凹部１２があり、その中心には開口部１１が設けられ、内容物はこの開口部１１より取り出しできるようになっている。凹部１２を覆うように、カバー２が設けられ、それは、左右のヒンジ３と開口するための力を持つねじりコイルバネ５でケース本体１に接続され、回動するように設けられている。カバー２のヒンジ反対側には係合爪２１が設けられ、カバーを閉めた時には、ケース本体１に設けた押しボタン４に係合して閉めた状態を保持できるようになっている。
左右のヒンジ３は、一方に突起、他方は凹になってそれぞれが嵌合するようになっているが、嵌合した状態では見えにくくなっている。
ねじりコイルバネ５はヒンジ３近傍に設けられ、巻き部５１より伸びた腕５２、５３の一方はケース本体１に、他方はカバーに係止している。
【００１４】
図２には、図１におけるねじりコイルバネ５近傍の拡大図を示し、ねじりコイルバ５ネの巻き部５１より出た腕の一方はケース本体１に、他方はカバー２に係止している。
ケース本体１側に係止する係止部は、Ｌ字に曲がったリブ１３とＩ字状のリブ１４から構成され、さらに、腕５２は、先端が抜けにくいようにＬ字に曲がっている。
また、カバー２側の係止部は、Ｌ字に曲がったリブ２３とＩ字状のリブ２４から構成され、さらに、腕５３も、先端が抜けにくいようにＬ字に曲がっている。
【００１５】
図３は、図２におけるねじりコイルバネ５の巻き部５１より出た腕と係止するＬ字に曲がったリブ１３、２３とＩ字状のリブ１４、２４の役目を示している。
【００１６】
図３−１では、腕５２、５３は、Ｌ字リブの外側に設けられた傾斜面５４によって導かれ、他方、Ｉ字状のリブ１４，２４によって抜けて外れることを阻まれ、Ｌ字とＩ字のリブの中間の溝５５に入り込みやすくなっている。この溝５５は、ケース本体１におけるねじりコイルバネ取付面にあって、左右のヒンジを結ぶ直線とは垂直方向に平行に設けられている。カバー２側も、カバー２におけるねじりコイルバネ取付面にあって、左右のヒンジを結ぶ直線とは垂直方向に設けられている。
この溝５５の幅は、ねじりコイルバネ５の線径をわずか大きめに設定しておく。
そして、腕５２，５３は、溝５５の奥に来ると９０度曲がり、ねじりコイルバネ５の線径より大きめのまま、取付面に平行に移動し、Ｉ字状のリブ１４，２４反対側のＬ字に曲がった、挿入と反対側のリブの付け根まで到達すると、取付面から離れた方向に腕が嵌合する凹部が設けられており、凹部５６に腕が嵌まる。
凹部５６の手前には、凸部５７を設けても良い。この凸部５７は、腕が逃げて外れることを阻止する。
この図の場合、開口した場合でも、ねじりコイルバネ５が開放された場合の腕同士の角度が、カバー２を全開に開けた状態における角度と近いと、取付面側に凹部５８があった方が、カバー２が全開した時、瞬間的に腕は取付面とは反対側に強く押され、抜けて外れ難くなるので安定する。
この、腕同士の角度が、カバー２を全開に開けた状態における角度と近い場合、開ける速さをゆっくりするように設定することもできるメリットがある。
【００１７】
図３−２では、挿入と反対側のリブの付け根まで到達する所で、取付面側に腕が嵌合する凹部が設けられており、凹部５８に腕が嵌まる。カバーが閉まった状態では、腕は取付面側に押している。
開口した場合でも、ねじりコイルバネ５が開放された場合の腕同士の角度が、カバー２を全開に開けた状態における角度よりも充分に広い場合は、取付面側を押しているので、取付面側に凹部５８があった方が、安定する。しかも、そのようなねじりコイルバネ５の方が、確実に開口する。
凹部５８の手前には、同じように凸部５９を設けても良い。この凸部５９は、腕が逃げて外れることを阻止する。
【００１８】
図４はカバー２を閉めた状態のケースカバーを示した。閉めた状態では、ケース本体１に、カバー２と押しボタン４しか見えない。
押しボタン４を押すことで、カバー２が開いて、開口する。
ヒンジ背面には細穴２５が設けられ、樹脂バネ２６が形成されている。
【００１９】
図５は、カバーのヒンジが、一体成形されてなる成形ヒンジ３１によって形成されているバネ付きカバーケースの一例で、カバーを閉めた状態を断面図で示したものである。
ケース本体１は上部と底蓋６の２つの部品から構成され、内容物の挿入は、嵌合している上部と底蓋６を分離し、ケース１を大きく開口して行うことができる。
押しボタン４は先端の係止爪４２があり、カバー２の係合爪２１を係止させ、カバー２を閉めることができる。
カバー２の内側に設けたコンタクトリング２２は、ケース本体１のシール面に当てたり、傾斜部に接して、外部と遮断する役目をしている。
成形ヒンジ３１は、ケースおよびカバーが接する端部に設けられている。
【００２０】
図６は、カバーのヒンジが、成形ヒンジ３１によって形成されているバネ付きカバーケースの一例を、カバーを開けて、ヒンジをほぼ１８０度に開き、ねじりコイルバネ５を装着した状態を断面図で示したものである。
ねじりコイルバネ５のケース側の腕５２がＬ字リブ１３に係止され、カバー側の腕５３がＬ字リブ２３に係止されている。
【００２１】
図７は、カバーのヒンジが、成形ヒンジ３１によって形成されているバネ付きカバーケースの一例で、ねじりコイルバネ５を装着した後、通常のカバー開口した状態を断面図で示したものである。
ねじりコイルバネを装着後、ケース本体１のカバー挿入部の側面に設けた側面突起１５を乗り越えさせて、カバーを閉めなければならない。
一度閉めたカバー２は、押しボタン４を押すことで、ケース本体１のカバー挿入部の側面に設けた側面突起１５に、カバー２の背面が当接し、図７の状態で示すように、一定の角度で開口が止まる。
【００２２】
図８は、成形ヒンジではなく、ケース本体１に筒状の凹部を設け、カバー２には円柱状の凸部を設けた別パーツからなる通常のヒンジを用いたバネ付きカバーケースの例である。
ヒンジ３の中心位置とねじりコイルスプリング５の巻き部５１の中心位置は、側面から見た場合、ほぼ同じ位置に設定することができる。
ねじりコイルスプリング５のケース本体側の腕５２は、ケース本体１側にはＬ字に曲がったリブ１３で、カバー側の腕５３は、カバー２側にはＬ字に曲がったリブ２３で、それぞれが係止されている。そして、カバー２先端を係止する係合爪２１が、押しボタン４の係止爪４２に係合している。
【００２３】
図９は、図８のバネ付きカバーケースのカバー２を開けた状態を示した図である。
カバー２の背面側端部２５が、ケース本体１に設けた壁１６に突き当たり、一定の開き角度を保持している。背面側端部２５には突起を設けてもかまわない。
【００２４】
図１０は、図８、図９のバネ付きカバーケースについて、ねじりコイルバネ５を嵌める状態を示している。
カバー２は、カバー２全体のバネ性を使用して、ケース本体１に設けた壁を乗り越え、１８０度開いて、ねじりコイルバネ５を嵌めている。
ねじりコイルバネ５は、図３に示したように、腕５２、５３を、傾斜面５４に沿って滑らせ、Ｉ字状のリブ１４、２４に当てて、溝５５に入れ込み、凸部５７、５９を乗り越え、Ｌ字に曲がったリブ１３、２３の根元近傍の凹部５６，５８に嵌め込む。
このように、直線的にカバー２を１８０度開くと、このねじりコイルバネの装着作業が、格段にしやすくなるので、自動化しやすくなる。
【００２５】
図１１は、ヒンジ３を設けた面において、ヒンジとは別に、突起２７と、長い凹部２８を設けて、カバー２が一定の角度で開いて固定可能なようにする方策を示した。これらの突起２７と長い凹部２８は、ヒンジの突起３２や凹部３３も同様だが、カバー２やケース本体１がプラスチックでできているので、その弾性を使用して、瞬時の変形で無理嵌合で挿入する。
ヒンジ３は、この場合、左右に設けたヒンジ突起３２と丸穴形状のヒンジ凹部３３からできているが、カバー開口用の突起２７の高さはヒンジ突起３２よりやや低くし、天面２７１は、挿入側に一部傾斜面を有すると、挿入しやすい。
カバー開口用の凹部２８は、ヒンジ凹部３３を中心とした円弧状に設けられ、カバー２を閉めた位置から開口している位置までの角度分が彫られている。そして、凹部２８の位置
は、図１０のように係合爪２１側であっても、ケース本体１側であってもかまわない。
【００２６】
図１２は、図８、図９、図１０のバネ付きカバーケースに使用されるカバー２の斜視図で、背面側端部２５には突起が設けられている。また、側面の左右には、ヒンジ突起３２が設けられている。
【００２７】
図１３は、押しボタン４の斜視図で、下側にはボタン用樹脂バネ４１が設けられ、前面にはカバー２に設けた係合爪２１に係合する係止爪４２があり、左右の側面にはボタン用ヒンジ突起４３が設けられている。
押しボタン４は、上面を押されると、ヒンジ３を中心に回動し、ボタン用樹脂バネ４１が凹み、係止爪４２が上がり、カバー２の係合爪２１から、係止爪４２が外れ、ねじりコイルバネ５の力で、カバー２がヒンジ３を中心に回動して開口する。そして、一定の位置に開き止るのである。
【００２８】
本発明のバネ付きカバーケースは、以上のようなもので、バネ付きカバーケースの押しボタン４は、樹脂バネや軸を持つことから、強度、滑り性、復元力を持つ材料で作る必要がある。それに対応するため、材質をポリオキシメチレン樹脂、ポリアミド樹脂、ポリプロピレン樹脂、エチレン・プロピレン共重合体、エチレン・酢酸ビニル共重合体、アイオノマー樹脂などの樹脂を使用し、同時に一体で射出成形しても良いし、予め金属で製造したバネ部４４を挿入して、インサート射出成形しても良い。
【００２９】
他方、ケース本体１とカバー２とは、押しボタン４と違った材料が好ましい。ポリエチレン樹脂、ポリプロピレン樹脂、エチレン・プロピレン共重合体、エチレン・酢酸ビニル共重合体、アイオノマー樹脂、アクリロニトリル・ブタジエン・スチレン共重体、アクリロニトリル・スチレン共重体、ポリメチルペンテン樹脂、ポリスチレン樹脂、ハイインパクトスチレン樹脂、などが考えられる。
これを上記形状のキャビティをもった金型で、射出成形して製造し、組み立てる。
【００３０】
ねじりコイルバネ５は、バネ性のステンレス線材が好ましい。ピアノ線などを防錆処理した線材や、リン青銅、ベリリウム銅や銅チタンなどの銅系材料も使用可能であるが、ステンレス線材が腐食にも強く、めっき等が必要でないので、破断などの問題も起こりにくく、好ましい。
【００３１】
以下、本発明の実施例について記載する。
ケース本体１は、図１、図７〜図９で示すケース本体のように、上部と、底蓋６との２点に分けた形状とし、上部の材料を高密度ポリエチレン樹脂、底蓋６の材料は直鎖状の低密度ポリエチレンとし、それぞれ射出成形により製造した。カバー２は図７〜図９、図１１の形状で、エチレン・プロピレン共重合樹脂を使用し、図１１の形状の金型で射出成形によって製造した。
押しボタン４は２モルパーセントのオキシエチレン単位を含むポリオキシメチレンの共重合樹脂で、図１２形状の金型で射出成形によって製造した。
ねじりコイルバネ５は、直径０．５ミリメートルのバネ性を持ったステンレス線材を使用し、バネ成形機を使用して、巻き径４ミリメートルで、巻き数を３巻きとし、両腕の角度は１７０度で、腕の先端はＬ字に曲げた。成形後、高温で焼入れしたものを用意した。焼入れ後の腕の角度は、１８０度であった。バネ確認後、ロボットで、挿入を自動化して試した。
内容物は不織布にエチルアルコールを含浸させたものを作成し、２００枚をセットにして容器に入れた。
【００３２】
評価は、ねじりコイルバネ５を１０００本、自動送入機で挿入し、組み込みを試してみ
た。１０００本試しても、失敗するものはなかった。
本発明のバネ付きカバーケース自体の評価では、カバー２を押して閉め、押しボタン４を押して開くことを１サイクルとして、開閉を５０００回繰り返し、問題がなく押しボタン４の押しだけで開き、一定の位置でカバー２が開き止ることを確認した。また、バネ付きカバーケースも、カバーを閉めた状態で、３ヶ月２５℃２０％ＲＨの環境下で保存したが、不織布は乾燥せず、濡れた状態を保っていた。
【００３３】
本発明のバネ付きカバーケースは、以上のようなもので、自動化してバネを組み込みことに問題は出なく、そのバネを組み込んだカバーケースも、安定して開閉が可能であり、本発明のメリットは大きい。
【符号の説明】
【００３４】
１・・・・・・・・・ケース本体
１１・・・・・・・・開口部
１２・・・・・・・・凹部
１３・・・・・・・・Ｌ字に曲がったリブ（ケース本体側）
１４・・・・・・・・Ｉ字状のリブ（ケース本体側）
１５・・・・・・・・側面突起
１６・・・・・・・・壁
２・・・・・・・・・カバー
２１・・・・・・・・係合爪  
２２・・・・・・・・コンタクトリング  
２３・・・・・・・・Ｌ字に曲がったリブ（カバー側）
２４・・・・・・・・Ｉ字状のリブ（カバー側）
２５・・・・・・・・背面側端部（カバー）
２７・・・・・・・・カバー開口用の突起
２７１・・・・・・・天面（カバー開口用の突起）
２８・・・・・・・・凹部（カバー開口用）
３・・・・・・・・・ヒンジ
３１・・・・・・・・成形ヒンジ  
３２・・・・・・・・ヒンジ突起  
３３・・・・・・・・ヒンジ凹部
４・・・・・・・・・押しボタン
４１・・・・・・・・ボタン用樹脂バネ
４２・・・・・・・・係止爪  
４３・・・・・・・・ボタン用ヒンジ突起  
５・・・・・・・・・ねじりコイルバネ
５１・・・・・・・・巻き部
５２・・・・・・・・腕（ケース側）
５３・・・・・・・・腕（カバー側）
５４・・・・・・・・傾斜面
５５・・・・・・・・溝
５６・・・・・・・・凹部（Ｌ字に曲がったリブ）
５７・・・・・・・・凸部（Ｌ字に曲がったリブ）
５８・・・・・・・・凹部（取付面）
５９・・・・・・・・凸部（取付面）
６・・・・・・・・・底蓋
【図１】
2014133567.tif 000003
【図２】
2014133567.tif 000004
【図３】
2014133567.tif 000005
【図４】
2014133567.tif 000006
【図５】
2014133567.tif 000007
【図６】
2014133567.tif 000008
【図７】
2014133567.tif 000009
【図８】
2014133567.tif 000010
【図９】
2014133567.tif 000011
【図１０】
2014133567.tif 000012
【図１１】
2014133567.tif 000013
【図１２】
2014133567.tif 000014
【図１３】
2014133567.tif 000015